(57)【要約】      （修正有）【課題】アドレス管理ツールおよびアドレス管理方法に関し、有線および無線でネットワークへの接続時の認証に必要なＭＡＣアドレス等を従来の管理者による手作業によることなく自動登録する。【解決手段】登録対象の端末の少なくともＭＡＣアドレス、および有線と無線あるいはいずれか一方の接続を行う旨の情報を受け付ける手段と、受け付けた少なくともＭＡＣアドレスをもとに、ＤＨＣＰサーバに少なくともＭＡＣアドレスを登録して一意のＩＰアドレスの割り当てを許可させると共に、受け付けた情報中に無線を行う旨の情報があったときにデータベースに少なくともＭＡＣアドレスを登録して認証サーバに当該少なくともＭＡＣアドレスを有する端末からの無線によるネットワークへのアクセスを許可させるツールとを設けた中間サーバを備える。【選択図】        図１
2008079244.tif 000002
【特許請求の範囲】
【請求項１】
ネットワークに接続され、少なくともＭＡＣアドレスをもとに一意のＩＰアドレスを割り当てるＤＨＣＰサーバと、
前記ネットワークに接続され、端末から無線で接続されたときに当該端末の少なくともＭＡＣアドレスについて、データベースを参照して登録されていたときに前記ネットワークへのアクセスを許可する認証サーバとを設けたシステムにおいて、
登録対象の端末の少なくともＭＡＣアドレス、および有線と無線あるいはいずれか一方の接続を行う旨の情報を受け付ける手段と、
前記受け付けた少なくともＭＡＣアドレスをもとに、前記ＤＨＣＰサーバに少なくともＭＡＣアドレスを登録して一意のＩＰアドレスの割り当てを許可させると共に、前記受け付けた情報中に無線を行う旨の情報があったときに前記データベースに少なくともＭＡＣアドレスを登録して前記認証サーバに当該少なくともＭＡＣアドレスを有する端末からの無線による前記ネットワークへのアクセスを許可させるツールとを設けた中間サーバ
を備えたことを特徴とするアドレス管理ツール。
【請求項２】
前記中間サーバおよび前記認証サーバを同一のサーバ内に設けて同一のデータベースをアクセスすることを特徴とする請求項１記載のアドレス管理ツール。
【請求項３】
前記ＭＡＣアドレスに対応づけて一意のＩＰアドレスを予め決定して前記ＤＨＣＰサーバに登録したことを特徴とする請求項１記載のアドレス管理ツール。
【請求項４】
前記認証サーバは、前記ネットワーク内で１つのみを設けて全ての端末からの無線によるネットワークへのアクセスについて、前記データベースに登録されているＭＡＣアドレスを参照して許可あるいは不許可を決定することを特徴とする請求項１から請求項３のいずれかに記載のアドレス管理ツール。
【請求項５】
ネットワークに接続され、少なくともＭＡＣアドレスをもとに一意のＩＰアドレスを割り当てるＤＨＣＰサーバと、
前記ネットワークに接続され、端末から無線で接続されたときに当該端末の少なくともＭＡＣアドレスについて、データベースを参照して登録されていたときに前記ネットワークへのアクセスを許可する認証サーバとを設けたシステムにおけるアドレス管理方法において、
登録対象の端末の少なくともＭＡＣアドレス、および有線と無線あるいは前者のみの接続を行う旨の情報を受け付けるステップと、
前記受け付けた少なくともＭＡＣアドレスをもとに、前記ＤＨＣＰサーバに少なくともＭＡＣアドレスを登録して一意のＩＰアドレスの割り当てを許可させると共に、前記受け付けた情報中に無線を行う旨の情報があったときに前記データベースに少なくともＭＡＣアドレスを登録して前記認証サーバに当該少なくともＭＡＣアドレスを有する端末からの無線による前記ネットワークへのアクセスを許可させるステップと
を備えたことを特徴とするアドレス管理方法。
【発明の詳細な説明】
【技術分野】
【０００１】
本発明は、ネットワークに接続され、少なくともＭＡＣアドレスをもとに一意のＩＰアドレスを割り当てるＤＨＣＰサーバと、ネットワークに接続され、端末から無線で接続されたときに端末の少なくともＭＡＣアドレスについて、データベースを参照して登録されていたときにネットワークへのアクセスを許可する認証サーバとを設けたシステムにおけるアドレス管理ツールおよびアドレス管理方法に関するものである。
【背景技術】
【０００２】
従来、ＰＣ（パソコン）が有線でネットワークに接続する場合、予め管理者が手作業で当該ＰＣのＭＡＣアドレス（必要に応じてその属性、使用者属性など）を取得しＤＨＣＰサーバに手作業で作成して登録しておき、ＩＰアドレスの空きレンジを考慮して手作業で空きＩＰアドレスをＤＨＣＰサーバに割り当て、以降はＤＨＣＰサーバがＭＡＣアドレス、ＩＰアドレスを割り当てて通信を行うようにしていた。
【０００３】
また、有線に加えて無線ネットワーク経由で有線ネットワークに接続する場合、無線でアドレス割り当てが要求されたときにアクセスポイントＡＰが予め手作業で登録された登録リストにＭＡＣアドレスが含まれていた場合にＤＨＣＰサーバにＩＰアドレスの割り当てを送信して割り当てを受けるようにしていた（特許文献１）。
【特許文献１】特開２００３−３１８９３９号公報
【発明の開示】
【発明が解決しようとする課題】
【０００４】
従来、ＰＣ等で有線、更に、無線でネットワークに接続しようとした場合、ＰＣ等のＭＡＣアドレス等を有線用および無線用に管理者が手作業でそれぞれ同じＭＡＣアドレス等を登録する必要があり、また空きＩＰアドレスの管理も含めて手作業が大変であると共にときとして設定ミスがあり、特に数千台のＰＣ等のＭＡＣアドレス等の登録、修正、保守に多大の作業工数が要求されてしまうという問題があった。
【課題を解決するための手段】
【０００５】
本発明は、これらの問題を解決するため、画面上からＰＣ等のＭＡＣアドレス、マシン名等および空きＩＰアドレスが入力されると、これをツールで受け付けて有線用のＭＡＣアドレス等をＤＨＣＰサーバに登録およびＩＰアドレスを割り当てると共に、併せて無線が指定されていたときに中間サーバを経由して認証サーバがアクセスし得るデータベースに自動登録するようにしている。
【発明の効果】
【０００６】
本発明は、画面上からＰＣ等のＭＡＣアドレス、マシン名等および空きＩＰアドレスが入力されると、これをツールで受け付けて有線用のＭＡＣアドレス等をＤＨＣＰサーバに登録およびＩＰアドレスを割り当てさせると共に、併せて無線が指定されていたときには中間サーバを経由して認証サーバがアクセスし得るデータベースに自動登録することにより、有線および無線でネットワークへの接続時の認証に必要なＭＡＣアドレス等を従来の管理者による手作業によることなく自動登録することが可能となり、ミスの発生を減少させることができる。
【発明を実施するための最良の形態】
【０００７】
本発明は、予め取得のＩＰアドレスと画面上からＰＣ等のＭＡＣアドレス、マシン名等が入力されると、これをツールで受け付けて有線用のＭＡＣアドレス等をＤＨＣＰサーバに登録およびＩＰアドレスを割り当てさせると共に、併せて無線が指定されていたときには中間サーバを経由して認証サーバがアクセスし得るデータベースに自動登録し、有線および無線でネットワークへの接続時の認証に必要なＭＡＣアドレス等を従来の管理者による手作業によることなく自動登録することを実現した。
【実施例１】
【０００８】
図１は、本発明のシステム構成図を示す。
図１において、サーバ１は、ネットワーク４に接続され、ＰＣ５から有線でネットワーク４への接続要求があったときに当該ＰＣ５のＭＡＣアドレスをもとにＩＰアドレスを割り当てたり、ＰＣ５から無線でネットワーク４への接続要求があったときに当該ＰＣ５のＭＡＣアドレスをもとにネットワーク４へのアクセスを許可したりなどするものであって、ＤＨＣＰサーバ１１、中間サーバ１２、ＤＢ１３、認証サーバ１４などから構成されるものである。ＤＨＣＰサーバ１１、中間サーバ１２、認証サーバ１４は、別々のハードウェア上に設けても良い。
【０００９】
ＤＨＣＰサーバ１１は、ＰＣ５のＭＡＣアドレスをもとに一意のＩＰアドレスを割り当てる（静的あるいは動的に一意のＩＰアドレスを割り当てる）ものである（図２から図５参照）。
【００１０】
中間サーバ１２は、例えばActive Directory  サーバであって、ここでは、ＤＢ１３にＰＣ５のＭＡＣアドレスなどを登録・保守したりなどするものである（図２から図５参照）。
【００１１】
ＤＢ１３は、中間サーバ１２、認証サーバ１４からアクセス可能なデータベースであって、ここでは、ＭＡＣアドレスなどを登録するものである（図２から図５参照）。
【００１２】
認証サーバ１４は、例えばRADIUSサーバであって、ＰＣ５から無線でネットワーク４への接続要求があったときに、ＤＢ１３中のＭＡＣアドレスなどを参照して登録されていたときに接続を許可し、登録されていないときに接続を拒否したりなどの認証を行うものであり、ここでは、ネットワーク４内に１つのみ設けたものである（図２から図５参照）。
【００１３】
動作マシン２は、管理者がＰＣ５のＭＡＣアドレスをＤＨＣＰサーバ１１、認証サーバ１４がアクセス可能なＤＢ１３に登録したりなどの管理・保守を行なう端末（ＰＣ）であって、ここでは、入力情報確認手段２１、ＩＰアドレス取得手段２２、ＤＨＣＰサーバ登録手段２３、無線ＬＡＮ判断手段２４、ＡＤ登録手段２５、マシンテーブル作成手段２６、入力画面２７、マシン情報編集登録手段２８、およびＤＢ２９などから構成されるものである。また、動作マシン２は、サーバ１同一ハードウェア上で動作させるようにしてもよい。
【００１４】
入力情報確認手段２１は、入力画面２７からマシン情報編集登録手段２８により選択、入力されたＰＣ５のＰＣ情報などを確認するものである（図２から図５参照）。
【００１５】
ＩＰアドレス取得手段２２は、入力情報確認手段２１で確認された後の情報をもとにＩＰアドレスを取得（例えば未使用のＩＰアドレスのうち最も小さいものを取得）したりなどするものである（図２から図５参照）。
【００１６】
ＤＨＣＰサーバ登録手段２３は、ＩＰアドレス取得手段２２で取得した一意のＩＰアドレス、更に、ＭＡＣアドレス、マシン名などの情報（図２の（ｄ）参照）をＤＨＣＰサーバ１１に登録するものである。
【００１７】
無線ＬＡＮ判断手段２４は、入力された情報をもとに無線でネットワーク４に接続するかを選んだか否かを判断するものである（図２から図５参照）。
【００１８】
ＡＤ登録手段２５は、ＭＡＣアドレスなどの情報を、中間サーバ１２経由でＤＢ１３に登録するものである（図２から図５参照）。
【００１９】
マシンテーブル作成手段２６は、ＭＡＣアドレス等の情報をもとに、動作マシン２のＤＢ２９内にマシンテーブル３０を作成して登録するものである（図３参照）。
【００２０】
入力画面２７は、ＰＣ５のＭＡＣアドレスなどを入力したり、無線で接続するか否かのチェックボックスをチェックして選択したりなどする画面である（図５参照）。
【００２１】
マシン情報編集登録手段２８は、入力画面２７上でＰＣ５のＭＡＣアドレスなどを入力したり、編集したり、登録したりなどするものである（図２から図５参照）。
【００２２】
ＤＢ２９は、動作マシン２に必要な各種情報を格納するデータベースであって、ここでは、マシンテーブル３０を登録するものである。
【００２３】
マシンテーブル３０は、ＰＣ５のＭＡＣアドレスなどを登録して管理するものである（図３参照）。
【００２４】
ネットワーク４は、サーバ１、動作マシン２、ＰＣ５などが接続するネットワークである。
【００２５】
ＰＣ５は、パソコンであって、有線ＬＡＮ６を経由してネットワーク４に接続したり、無線でアクセスポイント８を経由してネットワーク４に接続したりなどするものであって、ＭＡＣアドレスなどのＰＣ情報５１を有するものである（図２の（ａ）参照）。
【００２６】
有線ＬＡＮ６は、ＰＣ５が有線でネットワーク４に接続するためのネットワークである。
【００２７】
アクセスポイント８は、ＰＣ５が無線で接続してネットワーク４に接続するためのもの（例えば電波中継機や無線ＬＡＮ基地局）である。
【００２８】
次に、図２の（ａ）のフローチャートの順番に従い、図２の（ｂ）から（ｅ）を参照して、図１の構成について、ＰＣ５のＭＡＣアドレス等を登録するときの動作（手順）を詳細に説明する。
【００２９】
図２は、本発明の説明図を示す。
図２の（ａ）は、フローチャートを示す。
【００３０】
図２の（ａ）において、Ｓ１は、入力画面をリードする。
Ｓ２は、入力情報のチェックを行う。これらＳ１、Ｓ２は、図１の動作マシン２を構成する入力情報確認手段２１が、入力画面２７からマシン情報編集登録手段２８によって入力、選択された情報を読み込む。例えば図５の（ａ）のマシン情報画面（入力画面）上で入力、選択された情報、更に無線のチェックボックスがチェックされたときは図５の（ｂ）の画面上から入力された情報を読み込む。
【００３１】
Ｓ３は、エラーか判別する。これは、Ｓ１、Ｓ２で入力画面から読み込んだ情報中にエラーがあるか、入力情報確認手段２１が判別、例えば必須の項目が入力されているか、所定桁数かなどを右側に記載した図２の（ｂ）のＰＣ情報５１を参照してチェックする。ＹＥＳの場合には、エラーがあると判明したので、ここでは終了する（実際には例えば「必須項目が入力されていません」などのメッセージを管理者に提示して入力を促したりする）。ＮＯの場合には、Ｓ１、Ｓ２で入力された情報について図２の（ｂ）のＰＣ情報５１を参照してエラーがないと判明したので、Ｓ４に進む。
【００３２】
Ｓ４は、空きＩＰアドレスの取得を行う。これは、右側に記載した図２の（ｃ）に示すように、
「・配布ＩＰアドレス開始値、終了値を取得し、マシン追加対象のネットワークアドレスと組み合わせて３２ｂｉｔに変換する。
【００３３】
・例：ネットワーク：１０．１．０．０
設定テーブル  開始値：８  →  開始値＝１０．１．８．０  →１６７８３９７４４
設定テーブル  開始値：１８→  開始値＝１０．１．８．２５５→１６７８４２５５９
マシンテーブルをＩＰアドレス（３２Ｂｉｔ）順で全件ＳＥＬＥＣＴしてレコードセットを取得する。
【００３４】
先に求めた開始値〜終了値の範囲でカウンタをインクリメントしながら未使用のＩＰアドレスを検索する。」
以上の手順により、図１のＩＰアドレス取得手段２２が開始値と終了値の間で当該開始値から初めて未使用のＩＰアドレスを順次検索して割り当てる（取得する）。
【００３５】
Ｓ５は、エラーか判別する。これは、Ｓ４で空きＩＰアドレスを取得（割り当て）できず、空きＩＰアドレスがなくてエラーとなったか判別する。ＹＥＳの場合には、空きＩＰアドレスがないので、ここでは終了する。ＮＯの場合には、空きのＩＰアドレスを取得できたので、Ｓ６に進む。
【００３６】
Ｓ６は、ＤＨＣＰサーバに登録する。これは、取得（割り当てた）ＩＰアドレスを、ＤＨＣＰサーバ登録手段２３がサーバ１内のＤＨＣＰサーバ１１に登録する。登録は、右側に記載したように、図２の（ｄ）に示すように、ＤＨＣＰサーバ１１にコマンドを実行し、図示の図示の下記のパラメータを設定する。
【００３７】
パラメータ設定    その説明  
１．スコープアドレス：対象のネットワークアドレスを設定
２．予約の追加      ：”ａｄｄ  ｒｅｓｅｒｖｅｄｌｐ”固定
３．ＩＰアドレス    ：ＩＰアドレス
４．ＭＡＣアドレス  ：ＭＡＣアドレス
５．予約登録名      ：マシン名
６．説明            ：ＭＡＣアドレス
７．区分            ・”ＤＨＣＰ”固定
Ｓ７は、エラーか判別する。ＹＥＳの場合には、Ｓ５のＤＨＣＰサーバへの登録時にエラーが発生したので、ここでは、終了する。ＮＯの場合には、Ｓ５のＤＨＣＰサーバへの登録が正常に終わったので、Ｓ８に進む。
【００３８】
Ｓ８は、対象は無線か判別する。これは、Ｓ１で入力画面の情報を読み込んだときに、図５の（ａ）の画面上で無線のチェックボックスがチェックされか判別する。ＹＥＳの場合には、Ｓ９に進む。ＮＯの場合には、有線接続のみと判明したので、Ｓ１１に進む。
【００３９】
Ｓ９は、Ａｃｔｉｖｅ  Ｄｉｒｅｃｔｏｒｙ（図１の中間サーバ１２）に登録する。これは、Ｓ８のＹＥＳで無線接続すると判明したので、ＰＣ情報を図１の中間サーバ１２を経由してＤＢ１３に登録する。ここでは、例えば右側に記載した図２の（ｅ）に示すように、
・対象ＰＣが無線時、Ａｃｔｉｖｅ  Ｄｉｒｅｃｔｏｒｙサーバ（中間サーバ１２）へ図示の下記の情報を少なくとも登録する。
【００４０】
・登録するＤＮ  ○１：ｃｏｍｍｏｎＮａｍｅ  ＭＡＣアドレスを設定する。
ここで、ＭＡＣアドレスは必須であり、その他に任意に（必要に応じて）、後述する図４に示す下記の情報を登録する。
【００４１】
項目              設定内容
１．マシン名        ：マシン名
２．ＭＡＣアドレス  ：マシンＭＡＣアドレス
３．ＩＰアドレス    ：ＩＰアドレス値
４．ＷＥＰキー      ：暗号化キー
５．ＥＳＳＩＤ      ：グループＩＤ
Ｓ１０は、ＲＡＤＩＵＳサーバに自動反映する。これは、Ｓ９で図１の中間サーバ１２がＤＢ１３に上記情報を登録した後、認証サーバ（ＲＡＤＩＵＳサーバ）１４にもそのアクセスを許可して自動反映する（中間サーバ１２がＤＢ１３に図４の情報を書き込み、認証サーバ１４が当該ＤＢ１３中の情報（図４の情報）をアクセスできるようにする）。
【００４２】
Ｓ１１は、マシンテーブルに登録する。これは、Ｓ１からＳ１０で読み込んだ情報、取得したＩＰアドレスなどの全ての情報を、動作マシン２のＤＢ２９中のマシンテーブル３０に、例えば図３に示す情報を登録する。
【００４３】
以上によって、入力画面上である例えば図５の（ａ）、無線のときは更に図５の（ｂ）の画面上から入力、選択することで、自動的に一意のＩＰアドレスを割り当て、ＤＨＣＰサーバ１に図２の（ｄ）の情報を登録、更に、中間サーバ１２経由でＤＢ１３に図４の情報を登録、および動作マシン２のマシンテーブル３０に図３の情報をそれぞれ自動的に登録したり、更に、登録した情報を読み出して画面上に表示して更新、削除などの保守作業を行って更新、削除したりすることが容易に可能となる。
【００４４】
図２の（ｂ）は、ＰＣ情報の例を示す。これは、ＰＣ５について登録する情報の例およびチェックするためのチェック情報例（必須チェック、桁数チェック、入力値チェック）をそれぞれ示し、ここでは、例えば図示の下記のＰＣ情報を登録する。
【００４５】
項目        必須チェック  桁数チェック    入力値チェック
・マシン名    必須          ５０バイト以内  半角英数字のみ。ＤＨＣＰの予約名
の規則に従う。
【００４６】
・メーカ      任意          ５０バイト以内  半角、全角混在可
・機種        任意          ５０バイト以内  半角、全角混在可
・利用者      任意          ５０バイト以内  半角、全角混在可
・ＭＡＣアドレス  必須      １７バイト      半角数値またはａ〜ｆ，Ａ〜Ｆのみ
ＭＡＣアドレスの２重チェック（重複不可）
図２の（ｃ）は、ＩＰアドレスの自動取得（自動割当）の手順の様子を示したものである。
【００４７】
図２の（ｄ）は、ＤＨＣＰサーバにコマンドを実行し、登録を行うＰＣ情報の例を示す。ここでは、図示の下記のＰＣ情報をＤＨＣＰに登録する（必須は、ＭＡＣアドレス、ＩＰアドレス、マシン名（予約登録名）であり、他は必要に応じて登録する）。
【００４８】
図２の（ｅ）は、中間サーバ１２経由して認証サーバ１４がアクセスするＤＢ１３に、ＭＡＣアドレスを少なくとも登録する様子を示す。尚、ＤＢ１３には、後述する図４のＰＣ情報を登録し、必要な情報を認証サーバ１４が使用する。
【００４９】
図３は、本発明のマシンテーブル例を示す。マシンテーブル３０は、図１のＤＢ２９に格納され、動作マシン２がアクセスし、新規にＰＣ情報を登録したり、保守のために更新、削除したりなどする対象のＰＣ情報を保存したものであって、図示の下記の情報を登録，更新し、利用者毎にそれぞれ管理する。
【００５０】
マシンテーブル項目    設定内容
・マシンＳＥＱ        マシンＳＥＱ最大値＋１で設定
・マシン名            画面のマシン名（図５の画面上で入力されたマシン名、以下同じ）
・メーカ              画面のメーカ
・機種                画面の機種
・利用者名            画面の利用者名
・予約登録名          画面のマシン名
・ＭＡＣアドレス      画面のＭＡＣアドレスよりハイフンなし、
アルファベットは小文字に変換  
・ＩＰアドレス        取得した空きＩＰアドレス
・ＩＰアドレス（３２Ｂｉｔ）  ＩＰアドレスを整数値変換した値
・無線使用            画面で無線チェック時、”１”、以外の時”０”
・利用場所            画面の利用場所
・ネットワーク範囲ＳＥＱ  マシン追加対象のネットワーク範囲ＳＥＱ
・登録日時            現在日時
・更新日時            ＮＵＬＬ
図４は、本発明のＤＢ１３の例を示す。ＤＢ１３は、中間サーバ１２経由で登録するＰＣ情報の登録、更新、削除し、認証サーバ１４が使用するものであって、ここでは、図示の下記の情報を登録、更新して管理するものである。
【００５１】
項目            設定内容
・マシン名        マシン名
・ＭＡＣアドレス  マシンＭＡＣアドレス
・ＩＰアドレス    ＩＰアドレス値
・ＷＥＰキー      暗号化キー
・ＥＳＳＩＤ      グループＩＤ
ここで、ＷＥＰキー、ＥＳＳＩＤは、新たに無線として追加、更にアクセスポイント（ＡＰ）へ設定する（図１で、ＰＣ５がＡＰ８経由でネットワーク４に接続する場合に使用するものである（送受信データを暗号化キーで暗号化してデータ漏洩を防止などするときに使用する））。
【００５２】
図５は、本発明の画面例を示す。
図５の（ａ）は、マシン情報（ＰＣ情報）を登録する画面の例を示す。図示の画面上で利用者がネットワーク４に接続しようとするマシン情報（ＰＣ情報）を図示の下記のように入力、選択する。
【００５３】
・マシン名：
・メーカ名：
・機種：
・利用者名：
・利用場所：
・選択    ：
・ＭＡＣアドレス：
・ＩＰアドレス：
・無線チェックボックス（チェックしたときは図５の（ｂ）の画面表示）
図５の（ｂ）は、図５の（ａ）の画面上で無線のチェックボックスにチェックが入力されたときに表示される画面の例を示す。図示の画面上で、無線接続するときの図示の下記の情報を入力する。
【００５４】
・ＷＥＰキー：
・ＥＳＳＩＤ：
以上の図５の（ａ）の画面、更に無線のチェックボックスにチェックしたときは図５の（ｂ）の画面で情報を入力し、下段の登録（更新）ボタンを押下すると、既述した図２のＳ１以降の処理が自動実行され、図２の（ｂ）のＰＣ情報をもとにチェックされ、ＯＫのときにＩＰアドレスを自動取得（既に取得済のときは取得不要）し、ＤＨＣＰサーバ１１に情報を登録（更新）、中間サーバ１２経由でＤＢ１３に登録（更新）して認証サーバ１４に自動反映、更に、動作マシン２のＤＢ２９のマシンテーブル３０に登録（更新）することが全て自動的に実行され、利用者のＰＣ情報を簡易かつ迅速に登録、保守することが可能となる。
【産業上の利用可能性】
【００５５】
本発明は、画面上からＰＣ等のＭＡＣアドレス、マシン名等が入力されると、これをツールで受け付けて有線用のＭＡＣアドレス等をＤＨＣＰサーバに登録およびＩＰアドレスを割り当てさせると共に、併せて無線が指定されていたときには中間サーバを経由して認証サーバがアクセスし得るデータベースに自動登録し、有線および無線でネットワークへの接続時の認証に必要なＭＡＣアドレス等を従来の管理者による手作業によることなく自動登録するアドレス管理ツールおよびアドレス管理方法に関するものである。
【図面の簡単な説明】
【００５６】
【図１】本発明のシステム構成図である。
【図２】本発明の説明図である。
【図３】本発明のマシンテーブル例である。
【図４】本発明のＤＢ１３の例である。
【図５】本発明の画面例である。
【符号の説明】
【００５７】
１：サーバ
１１：ＤＨＣＰサーバ
１２：中間サーバ
１３、２９：ＤＢ
１４：認証サーバ
２：動作マシン
２１：入力情報確認手段
２２：ＩＰアドレス取得手段
２３：ＤＨＣＰサーバ登録手段
２４：無線ＬＡＮ判断手段
２５：ＡＤ登録手段
２６：マシンテーブル作成手段
２７：入力画面
２８：マシン情報編集登録手段
３０：マシンテーブル
４：ネットワーク
５：ＰＣ（パソコン）
６：有線ＬＡＮ
７：無線
８：アクセスポイント
【図１】
2008079244.tif 000003
【図２】
2008079244.tif 000004
【図３】
2008079244.tif 000005
【図４】
2008079244.tif 000006
【図５】
2008079244.tif 000007